(57)【特許請求の範囲】
【請求項１】
溶接用ワイヤを巻き回したスプールを後部に配置し、前部に配置したモータの駆動により溶接用トーチに前記溶接用ワイヤを送給する溶接用ワイヤ送給装置であって、前記スプールを後部カバー部で覆い、前記モータを前部カバー部で覆い、溶接用ワイヤ送給装置全体を前記後部カバー部と前記前部カバー部で覆い、前記後部カバー部に開閉または着脱可能な樹脂製のスプールカバーを設け、前記前部カバー部に開閉または着脱可能なモータカバーを設けた溶接用ワイヤ送給装置。
【請求項２】
溶接用ワイヤを巻き回したスプールを後部に配置し、前部に配置したモータの駆動により溶接用トーチに前記溶接用ワイヤを送給する溶接用ワイヤ送給装置であって、前記スプールを後部カバー部で覆い、前記モータを前部カバー部で覆い、溶接用ワイヤ送給装置全体を前記後部カバー部と前記前部カバー部で覆い、前記後部カバー部に開閉または着脱可能な樹脂製のスプールカバーを設け、前記前部カバー部の下側に開閉または着脱可能なモータカバーを設け、前記前部カバー部の上側に開閉または着脱可能な箱状の部品ケースを設けた溶接用ワイヤ送給装置。
【請求項３】
モータカバーの上部に平面状なケースベースを設け、前記ケースベース上を部品ケースがスライドする請求項２記載の溶接用ワイヤ送給装置。
【請求項４】
前記スプールの回転軸となるスプール軸を固定するスプール取付部を底部のベースに接合し、ベース前部に前記モータを固定し、取っ手となるパイプを上方から下方に伸ばし下部において前記パイプと前記ベースを接合し、前記モータの前方のカバーとなる前パネルと前記パイプ及び前記ベースと接合し、前記モータの上方のカバーとなる上パネルを前記前パネルと接合し、前記上パネルと前記スプール取付部を接合した請求項１から３のいずれか１項に記載の溶接用ワイヤ送給装置。
【発明の詳細な説明】
【０００１】
【発明の属する技術分野】
本発明は、溶接作業に使用される溶接用ワイヤ送給装置に関するものである。
【０００２】
【従来の技術】
従来の溶接用ワイヤ送給装置は図５と図６に示したような構成であった。
【０００３】
図５は溶接用ワイヤ送給装置を前面から見た図で、３０は溶接用ワイヤ送給装置の側面を覆っているカバー、３１は底面に配置された各部品を搭載するベース、３２は溶接用ワイヤ送給装置の上面を覆っている天板、３３は人が溶接用ワイヤ送給装置を移動させる時に使用する取っ手で天板３２に接合されている。
【０００４】
また、３４は溶接用ワイヤ送給装置の前面を覆っている前パネル、３５はベース３１と天板３２を連結する側板である。カバー３０は開閉することが可能となっている。
【０００５】
図６はカバー３０を取り除き溶接用ワイヤ送給装置を側面から見た図で、３６は溶接用ワイヤ３７が巻かれているスプール３８の回転軸となるスプール軸である。３９はスプール軸３６を固定するスプール取付板、４０は溶接用ワイヤ３７を溶接用トーチ（図示せず）に送給するために駆動源となるモータ、４１はモータ４０の駆動力を溶接用ワイヤ３７に伝えるワイヤ送給部ある。４２は前パネル３４に接合され溶接用ワイヤ送給装置の部品等を入れる箱状の部品ケースである。
【０００６】
【発明が解決しようとする課題】
しかしながら、このような従来の構成の溶接用ワイヤ送給装置では、(１)溶接用ワイヤ３７の送給力を調整するためにワイヤ送給部４１を調整する場合、(２)溶接用ワイヤ３７の消耗によりスプール３８を交換する場合、(３)部品ケース４２に溶接用ワイヤ送給装置の部品等を入れる場合等、上記いずれの場合においても溶接用ワイヤ送給装置の側面を覆っている大型カバー３０を開閉しなければならず、その大きさの強度を保つために質量が重いカバー３０の大きさと質量により開閉作業がやり難いという問題があった。
【０００７】
また、溶接用ワイヤ送給装置を移動させる時に使用する取っ手３３には、ベース３１上に配置されたモータ４０、スプール３８等の全重量物の質量が掛かり、取っ手３３が接合された天板３２、ベース３１と天板３２を連結する側板３５及びベース３１の個々の部品に全重量物の質量を支える強度が必要となる。その結果、天板３２、側板３５及びベース３１の補強構造が必要になり、各部品の質量が重くなるという問題もあった。
【０００８】
したがって本発明は、上記従来の課題を解消し溶接用ワイヤ送給装置のカバーを開閉し易くし、開閉作業労力の低減化を図り、また構造体の各部品の質量を低減することにより可搬性に富んだ溶接用ワイヤ送給装置を提供することを目的とする。
【０００９】
【課題を解決するための手段】
この目的を達成するために、本発明の第１手段は、スプールを後部カバー部で覆い、モータを前部カバー部で覆い、溶接用ワイヤ送給装置全体を後部カバー部と前部カバー部で覆い、後部カバー部に単独で開閉または着脱可能な樹脂製のスプールカバーを設け、前部カバー部に単独で開閉または着脱可能なモータカバーを設けたものである。
【００１０】
この構成により溶接用ワイヤの送給力を調整するためにワイヤ送給部を調整する場合は、前部カバー部に設けられた単独で開閉または着脱可能なモータカバーのみを開けば可能であり、また、溶接用ワイヤの消耗によりスプールを交換する場合は、後部カバー部に設けられた単独で開閉または着脱可能なスプールカバーのみを開けば可能であるので、上記の各動作においてそれぞれの目的に合った小型のカバーのみを開閉すればよいので開閉労力が低減する作用を有する。
【００１１】
また、本発明の第２手段は、スプールを後部カバー部で覆い、モータを前部カバー部で覆い、溶接用ワイヤ送給装置全体を後部カバー部と前部カバー部で覆い、後部カバー部に単独で開閉または着脱可能な樹脂製のスプールカバーを設け、前部カバー部の下側に単独で開閉または着脱可能なモータカバーを設け、前部カバー部の上側に単独で開閉または着脱可能な箱状の部品ケースを設けたものである。
【００１２】
この構成により溶接用ワイヤの送給力を調整するためにワイヤ送給部を調整する場合は、前部カバー部の下側に設けられた単独で開閉または着脱可能なモータカバーのみを開けば可能であり、また、溶接用ワイヤの消耗によりスプールを交換する場合は、後部カバー部に設けられた単独で開閉または着脱可能なスプールカバーのみを開けば可能であり、また、溶接用ワイヤ送給装置の部品等を送給装置内に格納する場合は、前部カバー部の上側に設けられた単独で開閉または着脱可能な部品ケースのみを開けば可能であるので、上記の各動作においてそれぞれの目的に合った小型のカバー、部品ケースのみを開閉すればよいので開閉労力が低減する作用を有する。
【００１３】
また、本発明の第３手段は、第２手段においてモータカバーの上部に平面状なケースベースを設け、ケースベース上を部品ケースがスライドするようにしたものである。
【００１４】
この構成により第２手段の作用に加え箱状の部品ケースが溶接用ワイヤ送給装置の側面よりスライドして出てくるので部品等を格納し易いという作用を有する。
【００１５】
また、本発明の第４手段は、スプールの回転軸となるスプール軸を固定するスプール取付部を底部のベースに接合し、ベース前部にモータを固定し、取っ手となるパイプを上方から下方に伸ばし下部においてパイプとベースを接合し、モータの前方のカバーとなる前パネルとパイプ及びベースと接合し、モータの上方のカバーとなる上パネルを前パネルと接合し、上パネルとスプール取付部を接合したものである。
【００１６】
この構成により重量物であるモータとスプールをスプールに付いてはスプール取付部を介して底部のベースで受け、全重量物の質量が掛かるベースを取っ手を兼ねたパイプにて保持する。また、ベースと前パネル、前パネルと上パネル、上パネルとスプール取付部、スプール取付部とベースの接合によりベースを前パネル、上パネル及びスプール取付部にて保持することになる。更に、前パネルとパイプが接合されているので、取っ手であるパイプを持ち上げた時、全重量物の質量が掛かるベースをパイプとループとなった前パネル、上パネル及びスプール取付部の２つの構造体にて受けるので各部品に掛かる力は低減され、その分個々の部品質量を低減する作用を有する。
【００１７】
【発明の実施の形態】
以下、本発明の実施の形態につき図１ないし図４に沿って説明する。
【００１８】
なお、符号３６ないし３８、４０、４１は図６に示した従来の溶接用ワイヤ送給装置と同じ構成なので、その説明を省略する。
【００１９】
（実施の形態１）
図１は溶接用ワイヤ送給装置を側面から見た図を示し、１は前部カバー部、２は後部カバー部で、溶接用ワイヤ送給装置全体を前部カバー部１と後部カバー部２で覆っている。３は前部カバー部１に設けられた単独で開閉または着脱可能なモータカバー、４は後部カバー部２に設けられた単独で開閉または着脱可能なスプールカバーである。スプールカバー４は溶接電圧が印加されたスプールを覆う為、絶縁性の有る樹脂で構成されている。５は各部品を搭載するベース、６は前方のカバーとなる前パネル、７は上方のカバーとなる上パネル、８は溶接用ワイヤ送給装置を移動させる時に利用する取っ手となるパイプで、上方から下方に配置され下部においてベース５と接合している。
【００２０】
図２は溶接用ワイヤ送給装置を前面から見た図を示し、３はモータカバー、６は前パネル、８はパイプ、スプールカバー４はスプールカバーベース９より取り外すことが可能となっている。
【００２１】
図３はモータカバー３とスプールカバー４を取り除き溶接用ワイヤ送給装置を側面から見た図を示し、１０はスプール軸３６を固定するスプール取付部で、底部のベース５に接合している。前パネル６はパイプ８とベース５に接合している。上パネル７は前部において前パネル６と接合し、後部においてスプール取付部１０と接合している。
【００２２】
この実施の形態１によれば、溶接用ワイヤ３７の送給力を調整するためにワイヤ送給部４１を調整する場合は、前部カバー部１に設けられた単独で開閉または着脱可能なモータカバー３のみを開けば可能であり、また、溶接用ワイヤ３７の消耗によりスプール３８を交換する場合は、後部カバー部２に設けられた単独で開閉または着脱可能なスプールカバー４のみをスプールカバーベース９より開けば可能であるので、上記の各動作においてそれぞれの目的に合った小型のモータカバー３、スプールカバー４のみを開閉すればよいので開閉作業の労力を低減することができる。
【００２３】
また、重量物であるモータ４０とスプール３８をスプール３８に付いてはスプール取付部１０を介して底部のベース５で受け、全重量物の質量が掛かるベース５を取っ手を兼ねたパイプ８にて保持する構造になっており、ベース５と前パネル６、前パネル６と上パネル７、上パネル７とスプール取付部１０、スプール取付部１０とベース５の接合によりベース５を前パネル６、上パネル７及びスプール取付部１０にて保持する構造になっている。更に、前パネル６とパイプ８が接合されているので、取っ手であるパイプ８を持ち上げた時、全重量物の質量が掛かるベース５をパイプ８とループとなった前パネル６、上パネル７及びスプール取付部１０の２つの構造体にて受けるので各部品に掛かる力は低減され、その分個々の部品の質量を低減することができる。
【００２４】
（実施の形態２）
次に、実施の形態２の溶接用ワイヤ送給装置を図４に沿って説明する。
【００２５】
なお、符号１、２、４ないし１０は図１に示した実施の形態１の溶接用ワイヤ送給装置と同じであるので、その説明を省略する。
【００２６】
図４は溶接用ワイヤ送給装置を側面から見た図を示し、１１は前部カバー部１の下側に設けられた単独で開閉または着脱可能なモータカバー、１２は前部カバー部１の上側に設けられた単独で開閉または着脱可能な箱状の部品ケースである。
【００２７】
部品ケース１２はモータカバー１１の上部に配置されているケースベース上を横方向にスライドするようになっている。
【００２８】
この実施の形態２によれば、溶接用ワイヤ３７の送給力を調整するためにワイヤ送給部４１を調整する場合は、前部カバー部１の下側に設けられた単独で開閉または着脱可能なモータカバー１１のみを開けば可能であり、また、溶接用ワイヤ３７の消耗によりスプール３８を交換する場合は、後部カバー部２に設けられた単独で開閉または着脱可能なスプールカバー４のみをスプールカバーベース９より開けば可能であり、また、溶接用ワイヤ送給装置の部品等を送給装置内に格納する場合は、前部カバー部１の上側に設けられた単独で開閉または着脱可能な部品ケース１２のみを開けば可能であるので、上記の各動作においてそれぞれの目的に合った小型のモータカバー３、スプールカバー４、部品ケース１２のみを開閉すればよいので開閉作業の労力を低減することができる。
【００２９】
また、箱状の部品ケース１２は溶接用ワイヤ送給装置の側面よりスライドして出てくるので部品等を格納し易い構造になっている。
【００３０】
【発明の効果】
以上のように、本発明の第１手段によれば、溶接用ワイヤの送給力を調整するためにワイヤ送給部を調整する場合は、前部カバー部に設けられた単独で開閉または着脱可能なモータカバーのみを開けば可能であり、また、溶接用ワイヤの消耗によりスプールを交換する場合は、後部カバー部に設けられた単独で開閉または着脱可能なスプールカバーのみを開けば可能であるので、上記の各動作においてそれぞれの目的に合った小型のカバーのみを開閉すればよいので開閉作業の労力を低減することができる。
【００３１】
また、本発明の第２手段によれば、溶接用ワイヤの送給力を調整するためにワイヤ送給部を調整する場合は、前部カバー部の下側に設けられた単独で開閉または着脱可能なモータカバーのみを開けば可能であり、また、溶接用ワイヤの消耗によりスプールを交換する場合は、後部カバー部に設けられた単独で開閉または着脱可能なスプールカバーのみを開けば可能であり、また、溶接用ワイヤ送給装置の部品等を送給装置内に格納する場合は、前部カバー部の上側に設けられた単独で開閉または着脱可能な部品ケースのみを開けば可能であるので、上記の各動作においてそれぞれの目的に合った小型のカバー、部品ケースのみを開閉すればよいので開閉作業の労力を低減することができる。
【００３２】
また、本発明の第３手段によれば、箱状の部品ケースが溶接用ワイヤ送給装置の側面よりスライドして出てくるので部品等を格納し易くすることができる。
【００３３】
また、本発明の第４手段によれば、重量物であるモータとスプールをスプールに付いてはスプール取付部を介して底部のベースで受け、全重量物の質量が掛かるベースを取っ手を兼ねたパイプにて保持し、また、ベースと前パネル、前パネルと上パネル、上パネルとスプール取付部、スプール取付部とベースの接合によりベースを前パネル、上パネル及びスプール取付部にて保持することになり、更に、前パネルとパイプが接合されているので、取っ手であるパイプを持ち上げた時、全重量物の質量が掛かるベースをパイプとループとなった前パネル、上パネル及びスプール取付部の２つの構造体にて受けるので各部品に掛かる力は低減され、その分個々の部品質量を低減でき、可搬性に富んだ溶接用ワイヤ送給装置にすることができる。
【図面の簡単な説明】
【図１】  本発明の実施の形態１における溶接用ワイヤ送給装置を側面から見た図
【図２】  本発明の実施の形態１における溶接用ワイヤ送給装置を前面から見た図
【図３】  本発明の実施の形態１におけるモータカバーとスプールカバーを取り除き溶接用ワイヤ送給装置を側面から見た図
【図４】  本発明の実施の形態２における溶接用ワイヤ送給装置を側面から見た図
【図５】  従来の溶接用ワイヤ送給装置を前面から見た図
【図６】  従来の溶接用ワイヤ送給装置を側面から見た図
【符号の説明】
１  前部カバー部
２  後部カバー部
３、１１  モータカバー
４  スプールカバー
５  ベース
６  前パネル
７  上パネル
８  パイプ
１０  スプール取付部
１２  部品ケース
１３  ケースベース
３６  スプール軸
３７ 溶接用ワイヤ
３８  スプール
４０  モータ
【図１】
0003882518.tif 000002
【図２】
0003882518.tif 000003
【図３】
0003882518.tif 000004
【図４】
0003882518.tif 000005
【図５】
0003882518.tif 000006
【図６】
0003882518.tif 000007